(57)【要約】      （修正有）【課題】テーブルが同じサイズのままで、両テーブル脚ユニット間に利用できる空間を広くする折り畳み式テーブルを提供する。【解決手段】折り畳み式テーブルは、天板１０と、天板の底面に連結される支持機構２０を備え、支持機構は、二つのテーブル脚ユニット２１と、テーブル脚ユニットと対応する二つの揺動ユニット２５とを含み、脚ユニットはそれぞれ、天板における対向する両側縁に近い位置に枢接され、二つの脚体を有する。揺動ユニットはそれぞれ、対応する脚ユニットにおける他方の脚ユニットに近接する一側に枢接され、二つの揺動プレートと、揺動プレートを連結する把持ロッド２５５とを有する。各揺動ユニットの把持ロッドから、第２枢動連結軸Ａ２（揺動プレートと脚ユニットとの枢軸）までの直線距離は、第２枢動連結軸から、第１枢動連結軸Ａ１（脚ユニットと天板との枢軸）までの直線距離より短いか等しい。【選択図】図１
0003226743.tif 000002
【実用新案登録請求の範囲】
【請求項１】
折り畳み式テーブルであって、天板と、該天板の底面に連結される支持機構を備え、
前記支持機構は、二つのテーブル脚ユニットと、該二つのテーブル脚ユニットと対応する二つの揺動ユニットとを含み、
該二つのテーブル脚ユニットはそれぞれ、前記天板における対向する両側縁に近い位置に枢接され、各テーブル脚ユニットと前記天板との枢軸を第１枢動連結軸と定義すると共に、該各テーブル脚ユニットは二つの脚体を有し、
該二つの揺動ユニットはそれぞれ、対応するテーブル脚ユニットにおける他方のテーブル脚ユニットに近接する一側に枢接され、各揺動プレートと該対応するテーブル脚ユニットとの枢軸を第２枢動連結軸と定義すると共に、
各揺動ユニットは、二つの揺動プレートと、該二つの揺動プレートを連結する把持ロッドとを有し、各揺動プレート上に、ガイド溝が設けられ、該ガイド溝は、該第２枢動連結軸から離れる一端に前記天板に向かって延伸するように形成される第１係合溝を有し、該脚体上にそれぞれ位置決め具が設けられ、該位置決め具はそれぞれ、対応する揺動プレートのガイド溝に連結され、該各揺動ユニットの把持ロッドから、対応する第２枢動連結軸までの直線距離は、該第２枢動連結軸から、対応する第１枢動連結軸までの直線距離より短いか等しいことを特徴とする折り畳み式テーブル。
【請求項２】
前記各揺動ユニットの把持ロッドが、前記位置決め具と前記天板との間に位置することを特徴とする請求項１に記載の折り畳み式テーブル。
【請求項３】
前記各揺動ユニットの、回動角度が、３５度より小さいか等しいことを特徴とする請求項２に記載の折り畳み式テーブル。
【請求項４】
前記各揺動ユニットの第２枢動連結軸から、対応する前記第１枢動連結軸までの直線距離は、該第１枢動連結軸から、対応する前記位置決め具までの直線距離の１.４倍以上であることを特徴とする請求項１から請求項３のいずれか１項に記載の折り畳み式テーブル。
【請求項５】
前記支持機構は棚板を含み、該棚板は四つの連結具を有し、それらの連結具を介して、それぞれの前記揺動プレートに連結され、前記天板の下方に吊り下げられることを特徴とする請求項４に記載の折り畳み式テーブル。
【請求項６】
各連結具は、一端が対応する前記揺動プレートに連結され、他端が、前記棚板に水平に摺動可能に連結され、該棚板における、該連結具に対応するそれぞれの箇所に、水平方向に延伸する摺動溝が形成されることを特徴とする請求項５に記載の折り畳み式テーブル。
【請求項７】
前記天板の底面に二つの固定枠が固設され、各固定枠のそれぞれの両端に枢動連結座が設けられ、前記各テーブル脚ユニットの両脚体はそれぞれ、第１枢軸具を介して、該テーブル脚ユニットの第１枢動連結軸の位置で、該二つの固定枠の同じ側にある枢動連結座に連結され、前記各揺動ユニットの二つの揺動プレートはそれぞれ、第２枢軸具を介して、該揺動ユニットの第２枢動連結軸の位置で、該固定枠に連結されることを特徴とする請求項６に記載の折り畳み式テーブル。
【考案の詳細な説明】
【技術分野】
【０００１】
本考案は、折り畳み式テーブルに関し、特に、対向する両側のテーブル脚を互いに向き合うように内側へ折り畳んで収納する、折り畳み式テーブルに関するものである。
【背景技術】
【０００２】
図９及び図１０に示すように、従来技術の折り畳み式テーブルは、横長矩形の天板９１と、二つの回動可能かつ折り畳み可能なテーブル脚ユニット９３を備え、該両テーブル脚ユニット９３は、該天板９１の長手方向の両端に取り付けられ、互いに向き合うように内側へ回転して折り畳むことができ、該両テーブル脚ユニットはそれぞれ、二つの脚体９３１を含む。
【０００３】
上述した従来技術の折り畳み式テーブルにおいては、前記テーブル脚ユニット９３を容易に折り畳むために、前記天板９１とテーブル脚ユニット９３は通常、揺動ユニット９５を利用して連結され、使用者が該揺動ユニット９５を操作することによって、前記テーブル脚ユニット９３を連動させて収納又は展開し、また、該揺動ユニット９５を利用して、該テーブル脚ユニット９３をラッチ固定する。前記揺動ユニット９５は、ガイド溝９５２を有すると共に、前記テーブル脚ユニット９３は位置決め具９３２を有し、このガイド溝９５２と位置決め具９３２を介して、該揺動ユニット９５とテーブル脚ユニット９３が連結され、該揺動ユニット９５を回動させると、該位置決め具９３２がガイド溝９５２に沿って相対的に移動し、同時に、該テーブル脚ユニット９３が連動して回動する。また、使用者が該揺動ユニット９５を操作する際に握りやすくするために、該揺動ユニット９５の端部に把持ロッド９５５が設置されている。
【０００４】
従来技術の折り畳み式テーブルが展開された状態において、前記揺動ユニット９５の端部は通常、前記両脚体９３１から突出することなく、両脚体間に位置しており、また、前記テーブル脚ユニット９３を折り畳んで収納する時は、該揺動ユニット９５が該テーブル脚ユニット９３に連動して変位すると、該揺動ユニット９５の端部が該テーブル脚ユニット９３から突出し、前記把持ロッド９５５も該テーブル脚ユニット９３の外側に位置するが、該揺動ユニット９５をテーブルの天板９１の側縁から突出させないようにするため、通常は、該テーブル脚ユニット９３が、該天板９１の側縁から離れた箇所に取り付けられ、このような設計によれば、該テーブル脚ユニット９３を折り畳んで収納するときに、該揺動ユニット９５の端部が該天板９１の側縁から突出する問題を解決できるが、該両テーブル脚ユニット９３間の距離が縮まることから、該両テーブル脚ユニット９３間に配置できる椅子の数が制限されてしまうので、利用可能な空間が減少してしまっていた。
【考案の概要】
【考案が解決しようとする課題】
【０００５】
本考案は、前記の従来技術の欠点に鑑みてなされたものであり、テーブルが同じサイズのままで、両テーブル脚ユニット間に利用できる空間を広くする折り畳み式テーブルを提供することを目的としている。
【課題を解決するための手段】
【０００６】
上記目的を達成するために、本考案は、折り畳み式テーブルであって、天板と、該天板の底面に連結される支持機構を備え、前記支持機構は、二つのテーブル脚ユニットと、該二つのテーブル脚ユニットと対応する二つの揺動ユニットとを含み、該二つのテーブル脚ユニットはそれぞれ、前記天板における対向する両側縁に近い位置に枢接され、各テーブル脚ユニットと前記天板との枢軸を第１枢動連結軸と定義すると共に、該各テーブル脚ユニットは二つの脚体を有し、該二つの揺動ユニットはそれぞれ、対応するテーブル脚ユニットにおける他方のテーブル脚ユニットに近接する一側に枢接され、各揺動プレートと該対応するテーブル脚ユニットとの枢軸を第２枢動連結軸と定義すると共に、各揺動ユニットは、二つの揺動プレートと、該二つの揺動プレートを連結する把持ロッドとを有し、各揺動プレート上に、ガイド溝が設けられ、該ガイド溝は、該第２枢動連結軸から離れる一端に前記天板に向かって延伸するように形成される第１係合溝を有し、該脚体上にそれぞれ位置決め具が設けられ、該位置決め具はそれぞれ、対応する揺動プレートのガイド溝に連結され、該各揺動ユニットの把持ロッドから、対応する第２枢動連結軸までの直線距離は、該第２枢動連結軸から、対応する第１枢動連結軸までの直線距離より短いか等しいことを特徴とする。
【考案の効果】
【０００７】
前述した技術特徴によれば、把持ロッドの連結位置を変更することで、揺動プレートの第１係合溝を、揺動プレートの端部に近づかせることができ、テーブル脚ユニットを折り畳んで収納すると、揺動プレートにおけるテーブル脚ユニットから突出する部分が小さく抑えられ、各テーブル脚ユニットをそれぞれ、天板の側縁ぎりぎりの箇所に連結することができ、これにより、テーブルの天板が同じままであっても、両テーブル脚ユニット間の距離を広げられ、利用できる空間を大きく稼げる。
【図面の簡単な説明】
【０００８】
【図１】本考案の好適な実施例の斜視図である。
【図２】本考案の好適な実施例の部分拡大図である。
【図３】本考案の好適な実施例の部分拡大分解図である。
【図４】本考案の好適な実施例において、テーブル脚ユニットが展開された状態を示す側面視断面図である。
【図５】本考案の好適な実施例においての折り畳み操作を示す模式図である。
【図６】本考案の好適な実施例においての折り畳み操作を示す模式図である。
【図７】本考案の好適な実施例においての折り畳んだ状態を示す側面視断面図である。
【図８】本考案の好適な実施例において、棚板を折り畳む操作を示す模式図である
【図９】従来技術の折り畳み式テーブルが折り畳んだ状態を示す側面視模式図である。
【図１０】従来技術の折り畳み式テーブルが展開された状態を示す側面視局部拡大図である。
【考案を実施するための形態】
【０００９】
図１〜図４に示すように、本考案に係る折り畳み式テーブルの好適な実施例においては、長方形を呈する天板１０と、該天板１０の底面に連結される支持機構２０を備え、該天板１０は、底面に二つの固定枠１５が固設され、該二つの固定枠１５は、該天板１０における短手方向の両側の側縁に近い箇所に長手方向に沿って延在し、該各固定枠１５はそれぞれ枢動連結座１５５を有する。
【００１０】
前記支持機構２０は、二つのテーブル脚ユニット２１と、該二つのテーブル脚ユニット２１と対応する二つの揺動ユニット２５を含み、該二つのテーブル脚ユニット２１はそれぞれ、前記天板１０における対向する両端部の側縁に近い位置に枢接され、該各テーブル脚ユニット２１と該天板１０との枢軸を第１枢動連結軸Ａ１と定義し、該各テーブル脚ユニット２１は、該第１枢動連結軸Ａ１を中心に、他方のテーブル脚ユニット２１に向かうように回動可能であり、該各テーブル脚ユニット２１は、二つの脚体２１１と、該二つの脚体２１１を連結する連結ロッド２１３とを有し、該両脚体２１１はそれぞれ、第１枢軸具２１５を介して、該第１枢動連結軸Ａ１の位置で、前記二つの固定枠１５の同じ側にある前記枢動連結座１５５に連結され、また、該各テーブル脚ユニット２１の各脚体２１１における、他方のテーブル脚ユニット２１から離れる側に、当てブロック２１７が設けられ、本考案の折り畳み式テーブルが折り畳まれて積み重なるとき、両テーブルの間に、これらの当てブロック２１７が他方のテーブルに面するように介在することで、両テーブルが離間する。
【００１１】
前記二つの揺動ユニット２５はそれぞれ、対応する前記テーブル脚ユニット２１における他方のテーブル脚ユニット２１に近接する側に枢接され、該各揺動ユニット２５と該対応するテーブル脚ユニット２１との枢軸を第２枢動連結軸Ａ２と定義し、該各揺動ユニット２５は、該第２枢動連結軸Ａ２を中心に、該テーブル脚ユニット２１に向かうように回動可能である。
【００１２】
前記各揺動ユニット２５はそれぞれ、二つの揺動プレート２５１と、該二つの揺動プレート２５１を連結する把持ロッド２５５とを有し、該二つの揺動プレート２５１はそれぞれ、前記第２枢動連結軸Ａ２の位置で、前記二つの固定枠１５における互いに面する側に、第２枢軸具２５７を介して連結され、該各揺動プレート２５１上にガイド溝２５２が設けられ、該ガイド溝２５２は、該第２枢動連結軸Ａ２から離れる一端に前記天板１０に向かって延伸するように形成される第１係合溝２５３を有し、前記脚体２１１上にそれぞれ位置決め具２３が設けられ、該各脚体２１１は、該位置決め具２３を介して、対応する揺動プレート２５１のガイド溝２５２内に相対的に摺動可能に連結され、本考案に係る折り畳み式テーブルが展開すると、該位置決め具２３が、該第１係合溝２５３内にラッチ固定され、これにより、前記テーブル脚ユニット２１が不意に回動してしまうことを防でいる。
【００１３】
前記各揺動ユニット２５の把持ロッド２５５から、対応する第２枢動連結軸Ａ２までの直線距離Ｄ１は、該第２枢動連結軸Ａ２から、対応する前記第１枢動連結軸Ａ１までの直線距離Ｄ２より小さいか等しく、該各揺動ユニット２５の把持ロッド２５５は、対応する前記位置決め具２３と前記天板１０の間に位置する。尚、前記各揺動ユニット２５の回動角度は、３５度より小さいか等しいことが好ましく、本考案の好適な実施例においては、該揺動ユニット２５の回動角度が２９度から３３度まであり、また、該揺動ユニット２５の第２枢動連結軸Ａ２から、対応する前記第１枢動連結軸Ａ１までの直線距離Ｄ２は、該第１枢動連結軸Ａ１から、対応する前記位置決め具２３までの直線距離Ｄ３の１.４倍以上である。
【００１４】
前記支持機構２０はさらに、棚板３０を含み、該棚板３０は、四つの連結具３５を介して、それぞれの前記揺動プレート２５１に連結されて、前記天板１０の下方に吊り下げられ、該各連結具３５は、一端が対応する揺動プレート２５１に連結され、他端が、該棚板３０上に水平に摺動可能に連結され、該棚板３０における、該連結具３５に対応する箇所にそれぞれ、水平方向に沿って延伸する摺動溝３２が形成され、これらの連結具３５はそれぞれ、対応する摺動溝３２内に相対的に摺動可能に連結される。
【００１５】
図５〜図７に示すように、前記テーブル脚ユニット２１を折り畳む時は、まず、使用者が前記把持ロッド２５５を握って、前記揺動ユニット２５を前記天板１０側に回動させ、これにより、前記位置決め具２３を前記第１係合溝２５３から外す。さらに、該揺動ユニット２５を回動し続け、該位置決め具２３を、前記ガイド溝２５２の規制によって、該ガイド溝２５２に沿って相対的に摺動させることにより、該テーブル脚ユニット２１を連動させて回動させる。すると、前記棚板３０も該テーブル脚ユニット２１の回動に連動して移動し、さらに、該棚板３０を、該テーブル脚ユニット２１の制限により、該天板１０とテーブル脚ユニット２１の間に収納し、最後に、該テーブル脚ユニット２１を該天板１０へ押し付けるように、前記両固定枠１５の間に収納する。一方、前記テーブル脚ユニット２１を展開する時は、まず、前記把持ロッド２５５を握って引っ張りながら、前記揺動ユニット２５を回動させて、該テーブル脚ユニット２１及び前記棚板３０を連動させて展開させ、最後に、該把持ロッド２５５を引っ張り続け、前記位置決め具２３を、前記第１係合溝２５３内にラッチ固定させると、展開作業が完了する。
【００１６】
さらに、図８に示すように、本考案の折り畳み式テーブルが展開された状態で、前記棚板３０を押圧すると、該棚板３０が、前記連結具３５を介して前記揺動ユニット２５に対して相対的に上方又は下方へ回動し、これにより、該棚板３０を収納又は展開させることができる。このような設計によれば、物を収納する必要がある場合に、前記棚板３０を展開することができ、また、物を収納する必要がない場合には、該棚板３０を収納して、前記両テーブル脚ユニット２１の間の利用できる空間を大きく稼ぐことができる。
【００１７】
前記各揺動ユニット２５の把持ロッド２５５から前記第２枢動連結軸Ａ２までの直線距離Ｄ１は、該第２枢動連結軸Ａ２から前記第１枢動連結軸Ａ１までの直線距離Ｄ２より小さいか等しいので、該揺動ユニット２５が回動して収納されると、該把持ロッド２５５が該第１枢動連結軸Ａ１から突出することがなく、これにより、前記揺動プレート２５１の第１係合溝２５３を、該揺動プレート２５１における該第２枢動連結軸Ａ２から離れる端部ぎりぎりの位置に形成させることができることから、該テーブル脚ユニット２１を折り畳んで収納すると、該揺動プレート２５１における、テーブル脚ユニット２１から突出する部分の寸法を小さく抑えることができ、かつ該各テーブル脚ユニット２１をそれぞれ、前記天板１０の側縁ぎりぎりの箇所に連結させることができ、これにより、テーブルの天板１０のサイズが同じままであっても、該両テーブル脚ユニット２１間の距離を広げることができるので、利用できる空間をさらに稼ぐことができる。
【００１８】
さらに、前記揺動ユニット２５の回動角度を制限すること、又は、前記第２枢動連結軸Ａ２から前記第１枢動連結軸Ａ１までの直線距離Ｄ２を、該第１枢動連結軸から対応する前記位置決め具２３までの直線距離Ｄ３に対して、所定の比率に制限することにより、該テーブル脚ユニット２１を折り畳んで収納する際における、前記揺動プレート２５１が該テーブル脚ユニット２1から突出する距離を規制することができるので、該各テーブル脚ユニット２１を、前記天板１０の側縁ぎりぎりまで接近させることができると共に、該揺動ユニット２５が、収納状態で該天板１０から突出することを防ぐこともできる。
【符号の説明】
【００１９】
１０      天板
１５      固定枠
１５５    枢動連結座
２０      支持機構
２１      テーブル脚ユニット
２１１    脚体
２１３    連結ロッド
２１５    第１枢軸具
２１７    当てブロック
２３      位置決め具
２５      揺動ユニット
２５１    揺動プレート
２５２    ガイド溝
２５３    第１係合溝
２５５    把持ロッド
２５７    第２枢軸具
３０      棚板
３２      摺動溝
３５      連結具
Ａ１      第１枢動連結軸
Ａ２      第２枢動連結軸
Ｄ１、Ｄ２、Ｄ３  直線距離
９１      天板
９３      テーブル脚ユニット
９３１    脚体
９３２    位置決め具
９５      揺動ユニット
９５２    ガイド溝
９５５    把持ロッド
【図１】
0003226743.tif 000003
【図２】
0003226743.tif 000004
【図３】
0003226743.tif 000005
【図４】
0003226743.tif 000006
【図５】
0003226743.tif 000007
【図６】
0003226743.tif 000008
【図７】
0003226743.tif 000009
【図８】
0003226743.tif 000010
【図９】
0003226743.tif 000011
【図１０】
0003226743.tif 000012